(57)【要約】【課題】  設定された入出力形式を、読み取り開始前に、オペレータが容易にしかも包括的に認識できる画像読取装置および画像形成装置を実現する。【解決手段】  原稿が載置されるガラス板１２に対向して液晶表示部１３を設け、この液晶表示部１３に原稿の読み取り情報および印刷情報、すなわち原稿の突き当て位置情報、読み込み原稿サイズ情報６２および記録媒体サイズ情報等を表示することとしているので、原稿の読み取り位置あるいは出力される記録媒体サイズと位置等をオペレータが間違いなく認識させ、拡大縮小及び縦横の変換等の複雑な入出力を行う場合にも、オペレータがガラス板１２上に間違いなく原稿を載置し、誤出力を伴わない複写を行い、高い操作性を維持することを実現させる。【選択図】        図１
2006030332.tif 000002
【特許請求の範囲】
【請求項１】
原稿を載置するガラス板と、
前記ガラス板の前記原稿が載置されない側に位置し、前記原稿の画像情報を読み取る読み取り部と、
前記ガラス板および前記読み取り部の間に位置し、前記ガラス板と対向する表示画面を有する液晶表示部と、
前記液晶表示部に前記原稿の読み取り情報を表示する表示手段と、
前記読み取り情報の設定を行う操作部と、
を備える画像読取装置。
【請求項２】
前記読み取り情報は、前記原稿の前記ガラス板上での読み取り領域を示す位置情報を含むことを特徴とする請求項１に記載の画像読取装置。
【請求項３】
前記位置情報は、前記原稿を載置する前記ガラス板上の突き当て位置を示す指示記号、前記読み取り領域を示す輪郭線、および、前記読み取り領域を前記読み取りが行われない領域から区別する領域ごとに異なる領域表示パターンの少なくとも１つを含むことを特徴とする請求項２に記載の画像読取装置。
【請求項４】
前記表示手段は、前記画像読取装置に開閉センサを有するプラテンカバーあるいは原稿自動搬送部が装着されている際に、前記開閉センサの検出信号に応じて前記輪郭線と前記領域表示パターンとを切り替える切換手段を備えることを特徴とする請求項３に記載の画像読取装置。
【請求項５】
前記読み取り情報は、前記原稿の前記ガラス板上での向きを示す向き情報を含むことを特徴とする請求項１に記載の画像読取装置。
【請求項６】
前記読み取り情報は、文字情報を含むことを特徴とする請求項１ないし５のいずれか１つに記載の画像読取装置。
【請求項７】
前記操作部は、前記読み取り情報ごとに前記表示を行うかどうかを選択する選択手段を備えることを特徴とする請求項１ないし６のいずれか１つに記載の画像読取装置。
【請求項８】
ガラス板上に載置される原稿の画像情報を、前記ガラス板の前記原稿が載置されない側に位置する読み取り部で読み取る画像読取装置と、
前記画像情報を記録媒体に印刷する画像形成部と、
前記画像読取装置および前記画像形成部を制御する制御部と、
前記印刷の印刷情報を設定する操作部と、
を備える画像形成装置であって、
前記画像読取装置は、前記ガラス板および前記読み取り部の間に位置し、前記ガラス板と対向する表示画面を有する液晶表示部を有し、
前記制御部は、前記液晶表示部に前記原稿の読み取り情報および前記印刷情報の少なくとも１つを表示する表示手段を有することを特徴とする画像形成装置。
【請求項９】
前記読み取り情報および前記印刷情報は、前記原稿の前記ガラス板上での読み取り領域および前記記録媒体の前記ガラス板上での印刷領域を示す位置情報を含むことを特徴とする請求項８に記載の画像形成装置。
【請求項１０】
前記位置情報は、前記原稿を載置する前記ガラス板上の突き当て位置を示す指示記号、前記読み取り領域を示す輪郭線、前記印刷領域を示す輪郭線、および、前記読み取り領域を前記読み取りが行われない領域から区別する、領域ごとに異なる領域表示パターンの少なくとも１つを含むことを特徴とする請求項９に記載の画像形成装置。
【請求項１１】
前記表示手段は、前記画像読取装置に開閉センサを有するプラテンカバーあるいは原稿自動搬送部が装着されている際に、前記開閉センサの検出信号に応じて前記輪郭線と前記領域表示パターンとを切り替える切換手段を備えることを特徴とする請求項１０に記載の画像形成装置。
【請求項１２】
前記読み取り情報は、前記原稿の前記ガラス板上での向きを示す向き情報を含むことを特徴とする請求項８に記載の画像形成装置。
【請求項１３】
前記印刷情報は、前記印刷される記録媒体の大きさおよび位置を前記ガラス板上に示す媒体位置情報、前記印刷される画像情報の大きさおよび位置を前記ガラス板上に示す画像位置情報および前記印刷される画像情報の向きを前記ガラス板上で示す向き情報の少なくとも１つを含むことを特徴とする請求項８ないし１２のいずれか１つに記載の画像形成装置。
【請求項１４】
前記印刷情報は、文字情報を含むことを特徴とする請求項１３に記載の画像形成装置。
【請求項１５】
前記操作部は、前記読み取り情報および前記印刷情報ごとに前記表示を行うかどうかを選択する選択手段を備えることを特徴とする請求項８ないし１４のいずれか１つに記載の画像形成装置。
【発明の詳細な説明】
【技術分野】
【０００１】
この発明は、ガラス板上に載置される原稿から画像情報を読み取る画像読取装置およびこれを用いる画像形成装置に関する。
【背景技術】
【０００２】
近年、スキャナあるいは複写機を構成する画像読取装置あるいは画像形成装置は、コンピュータを用いた制御により、機能の高度化が進んでいる。この高度化の流れの中にあって、読み取りを行う原稿サイズ等の入力形式の多様化、出力を行う記録媒体サイズ等の出力形式の多様化、さらに入力された画像情報に対して行われる拡大縮小等の画像処理の多様化が急速に進んでいる。
【０００３】
他方、オペレータは、操作部から、入力形式、出力形式あるいは画像処理等の設定を簡易に行えるにもかかわらず、これら設定の整合性の判断はオペレータ自信に委ねられる部分も多い。特に、上述した多様化が急速に拡大する中で、オペレータに委ねられる判断部分は拡大しつつあり、これに伴い入出力形式の誤設定、さらには誤出力と言った操作性の低下を招く現象が生じつつある。
【０００４】
ここで、オペレータによる入力ミスを防止する手段として、原稿が載置される際に、原稿位置を読み取る機能あるいは原稿が載置されるガラス板の裏側から、載置されるべき位置に光照射を行う例が存在する（例えば、特許文献１参照）。
【特許文献１】特開２００３―２５５４７２号公報、（第１頁、図１（代表図面））
【発明の開示】
【発明が解決しようとする課題】
【０００５】
しかしながら、上記背景技術によれば、操作性の向上は、限定的なものとなる。すなわち、別途原稿位置を読み取る際には、概ね読み取り時間が倍増することになり、またガラス板の裏側から、原稿の載置位置を光照射により指定する際には、オペレータの誤載置は軽減されるものの、正確な載置位置の指示と言う点からは情報量が少なく、分かりづらいものである。
【０００６】
また、ガラス板、ガラス板を被うプラテンカバーあるいは原稿自動搬送部等に汚れやゴミ等が付着することもある。この場合には、記録媒体上に同様の汚れあるいはゴミ等の画像が印刷ごとに繰り返し生じる。これらを防止するには、画像処理を用いて印刷される汚れあるいはゴミ等の画像を除去するか、あるいは、原稿の読み取り位置をずらす等の工夫を行う必要があり、間接的に操作性を低下させる要因となっている。
【０００７】
これらのことから、設定された入出力形式を、画像情報の読み取り開始前に、オペレータが容易にしかも包括的に認識できる画像読取装置および画像形成装置いかに実現するかが重要となる。
【０００８】
この発明は、上述した背景技術による課題を解決するためになされたものであり、設定された入出力形式を、読み取り開始前に、オペレータが容易にしかも包括的に認識できる画像読取装置および画像形成装置を提供することを目的とする。
【課題を解決するための手段】
【０００９】
上述した課題を解決し、目的を達成するために、請求項１に記載の発明にかかる画像読取装置は、原稿を載置するガラス板と、前記ガラス板の前記原稿が載置されない側に位置し、前記原稿の画像情報を読み取る読み取り部と、前記ガラス板および前記読み取り部の間に位置し、前記ガラス板と対向する表示画面を有する液晶表示部と、前記液晶表示部に、前記原稿の読み取り情報を表示する表示手段と、前記読み取り情報の設定を行う操作部と、を備える。
【００１０】
この請求項１に記載の発明では、ガラス板と対向する表示画面を有する液晶表示部を、ガラス板および読み取り部の間に位置させ、この液晶表示部に、表示手段を用いて、原稿の読み取り情報を表示させる。
【００１１】
また、請求項２に記載の発明にかかる画像読取装置は、前記読み取り情報が、前記原稿の前記ガラス板上での読み取り領域を示す位置情報を含むことを特徴とする。
この請求項２に記載の発明では、読み取り情報は、ガラス板上での読み取り領域を示す位置情報を含む。
【００１２】
また、請求項３に記載の発明にかかる画像読取装置は、前記位置情報が、前記原稿を載置する前記ガラス板上の突き当て位置を示す指示記号、前記読み取り領域を示す輪郭線、および、前記読み取り領域を前記読み取りが行われない領域から区別する領域ごとに異なる領域表示パターンの少なくとも１つを含むことを特徴とする。
【００１３】
この請求項３に記載の発明では、位置情報は、指示記号、輪郭線、および、領域表示パターンの少なくとも１つを含む。
また、請求項４に記載の発明にかかる画像読取装置は、前記表示手段が、前記画像読取装置に開閉センサを有するプラテンカバーあるいは原稿自動搬送部が装着されている際に、前記開閉センサの検出信号に応じて前記輪郭線と前記領域表示パターンとを切り替える切換手段を備えることを特徴とする。
【００１４】
この請求項４に記載の発明では、表示手段は、切換手段により、開閉センサの検出信号に応じて、輪郭線と領域表示パターンとを切り替える。
また、請求項５に記載の発明にかかる画像読取装置は、前記読み取り情報が、前記原稿の前記ガラス板上での向きを示す向き情報を含むことを特徴とする。
【００１５】
この請求項５に記載の発明では、読み取り情報は、原稿のガラス板上での向き情報を含む。
また、請求項６に記載の発明にかかる画像読取装置は、前記読み取り情報が、文字情報を含むことを特徴とする。
【００１６】
この請求項６に記載の発明では、読み取り情報に、文字情報を含む。
また、請求項７に記載の発明にかかる画像読取装置は、前記操作部が、前記読み取り情報ごとに前記表示を行うかどうかを選択する選択手段を備えることを特徴とする。
【００１７】
この請求項７に記載の発明では、操作部は、選択手段により、読み取り情報ごとに表示を行うかどうかを選択する。
また、請求項８に記載の発明にかかる画像形成装置は、ガラス板上に載置される原稿の画像情報を、前記ガラス板の前記原稿が載置されない側に位置する読み取り部で読み取る画像読取装置と、前記画像情報を記録媒体に印刷する画像形成部と、前記画像読取装置および前記画像形成部を制御する制御部と、前記印刷の印刷情報を設定する操作部と、を備える画像形成装置であって、前記画像読取装置は、前記ガラス板および前記読み取り部の間に位置し、前記ガラス板と対向する表示画面を有する液晶表示部を有し、前記制御部は、前記液晶表示部に前記原稿の読み取り情報および前記印刷情報の少なくとも１つを表示する表示手段を有することを特徴とする。
【００１８】
この請求項８に記載の発明では、画像形成装置は、ガラス板と対向する表示画面を有する液晶表示部を、ガラス板および読み取り部の間に位置させ、制御部は、表示手段により、液晶表示部に原稿の読み取り情報および印刷情報の少なくとも１つを表示させる。
【００１９】
また、請求項９に記載の発明にかかる画像形成装置は、前記読み取り情報および前記印刷情報が、前記原稿の前記ガラス板上での読み取り領域および前記記録媒体の前記ガラス板上での印刷領域を示す位置情報を含むことを特徴とする。
【００２０】
この請求項９に記載の発明では、読み取り情報および印刷情報は、ガラス板上に読み取り領域および印刷領域を示す位置情報を含む。
また、請求項１０に記載の発明にかかる画像形成装置は、前記位置情報が、前記原稿を載置する前記ガラス板上の突き当て位置を示す指示記号、前記読み取り領域を示す輪郭線、前記印刷領域を示す輪郭線、および、前記読み取り領域を前記読み取りが行われない領域から区別する、領域ごとに異なる領域表示パターンの少なくとも１つを含むことを特徴とする。
【００２１】
この請求項１０に記載の発明では、位置情報は、指示記号、輪郭線、および、領域表示パターンの少なくとも１つを含む。
また、請求項１１に記載の発明にかかる画像形成装置は、前記表示手段が、前記画像読取装置に開閉センサを有するプラテンカバーあるいは原稿自動搬送部が装着されている際に、前記開閉センサの検出信号に応じて前記輪郭線と前記領域表示パターンとを切り替える切換手段を備えることを特徴とする。
【００２２】
この請求項１１に記載の発明では、表示手段は、切換手段により、開閉センサの検出信号に応じて輪郭線と領域表示パターンとを切り替える。
また、請求項１２に記載の発明にかかる画像形成装置は、前記読み取り情報が、前記原稿の前記ガラス板上での向きを示す向き情報を含むことを特徴とする。
【００２３】
この請求項１２に記載の発明では、読み取り情報は、原稿のガラス板上での向き情報を含む。
また、請求項１３に記載の発明にかかる画像形成装置は、前記印刷情報が、前記印刷される記録媒体の大きさおよび位置を前記ガラス板上に示す媒体位置情報、前記印刷される画像情報の大きさおよび位置を前記ガラス板上に示す画像位置情報および前記印刷される画像情報の向きを前記ガラス板上で示す向き情報の少なくとも１つを含むことを特徴とする。
【００２４】
この請求項１３に記載の発明では、印刷情報は、媒体位置情報、画像位置情報および向き情報の少なくとも１つを含む。
また、請求項１４に記載の発明にかかる画像形成装置は、前記印刷情報が、文字情報を含むことを特徴とする。
【００２５】
この請求項１４に記載の発明では、印刷情報は、文字情報を含む。
また、請求項１５に記載の発明にかかる画像形成装置は、前記操作部が、前記読み取り情報および前記印刷情報ごとに前記表示を行うかどうかを選択する選択手段を備えることを特徴とする。
【００２６】
この請求項１５に記載の発明では、操作部は、選択手段により、読み取り情報および印刷情報ごとに表示を行うかどうかを選択する。
【発明の効果】
【００２７】
以上説明したように、請求項１に記載の発明によれば、ガラス板と対向する表示画面を有する液晶表示部を、ガラス板および読み取り部の間に位置させ、この液晶表示部に、表示手段を用いて、原稿の読み取り情報を表示させることとしているので、原稿の読み取り情報をオペレータに視覚的に認識させ、オペレータがガラス板上に間違いなく原稿を載置することができる。
【００２８】
請求項２に記載の発明によれば、読み取り情報は、ガラス板上での読み取り領域を示す位置情報を含むこととしているので、読み取り位置をガラス板上に表示し、オペレータに視覚的な認識を行わせることができる。
【００２９】
請求項３に記載の発明によれば、位置情報は、指示記号、輪郭線、および、領域表示パターンの少なくとも１つを含むこととしているので、オペレータは、読み取り位置を明確に認識することができる。
【００３０】
請求項４に記載の発明によれば、表示手段は、切換手段により、開閉センサの検出信号に応じて輪郭線と領域表示パターンとを切り替えることとしているので、画像の読み取りの際に、特定部位にマスクを行い目的とする部位のみを読み取ることができる。
【００３１】
請求項５に記載の発明によれば、読み取り情報は、原稿のガラス板上での向き情報を含むこととしているので、原稿の上下を取り違えることなく読み取りを行うことができる。
請求項６に記載の発明によれば、読み取り情報は、文字情報を含むこととしているので、液晶表示部に文字を表示し、誤解のない読み取り情報とすることができる。
【００３２】
請求項７に記載の発明によれば、操作部は、選択手段により、読み取り情報ごとに表示を行うかどうかを選択することとしているので、状況に応じて必要な読み取り情報のみを表示し、混乱が生じないようにすることができる。
【００３３】
請求項８に記載の発明によれば、画像形成装置は、ガラス板と対向する表示画面を有する液晶表示部を、ガラス板および読み取り部の間に位置させ、制御部は、表示手段により、液晶表示部に原稿の読み取り情報および印刷情報の少なくとも１つを表示させることとしているので、原稿の読み取り情報および記録媒体への印刷情報をオペレータに視覚的に認識させ、オペレータがガラス板上に原稿を適正に載置し、間違いのない読み込みおよび印刷を行うことができる。
【００３４】
請求項９に記載の発明によれば、読み取り情報は、ガラス板上での読み取り領域を示す位置情報を含むこととしているので、読み取り位置をガラス板上に表示し、オペレータによる視覚的な認識を行わせることができる。
【００３５】
請求項１０に記載の発明によれば、位置情報は、指示記号、輪郭線、および、領域表示パターンの少なくとも１つを含むこととしているので、オペレータは、読み取り位置および印刷位置を明確に認識することができる。
【００３６】
請求項１１に記載の発明によれば、表示手段は、切換手段により、開閉センサの検出信号に応じて輪郭線と領域表示パターンとを切り替えることとしているので、画像の読み取りの際に、特定部位にマスクを行い目的とする部位のみを読み取ることができる。
【００３７】
請求項１２に記載の発明によれば、読み取り情報は、原稿のガラス板上での向き情報を含むこととしているので、原稿の上下を取り違えることなく読み取りを行うことができる。
【００３８】
請求項１３に記載の発明によれば、印刷情報は、媒体位置情報、印刷位置情報および向き情報の少なくとも１つを含むこととしているので、印刷出力を間違いなく行うことができる。
【００３９】
請求項１４に記載の発明によれば、印刷情報は文字情報を含むこととしているので、液晶表示部に文字を表示し、誤解のない読み取り情報とすることができる。
請求項１５に記載の発明によれば、操作部は、選択手段により、読み取り情報および印刷情報ごとに表示を行うかどうかを選択することとしているので、状況に応じて必要な読み取り情報および印刷情報のみを表示し、混乱が生じないようにすることができる。
【発明を実施するための最良の形態】
【００４０】
以下に添付図面を参照して、この発明にかかる画像読取装置およびこれを用いる画像形成装置を実施するための最良の形態について説明する。なお、これにより本発明が限定されるものではない。
【００４１】
まず、本実施の形態にかかる画像読取装置を用いた画像形成装置の機械的な構成について説明する。図２は、本実施の形態にかかる画像形成装置１００を示す図である。画像形成装置１００は、画像読取装置１０、画像形成部４０、給紙部５０および排紙部６０を含む。
【００４２】
画像読取装置１０は、原稿の光学的画像読み取り装置からなり、原稿の画像情報を読み取る。画像読取装置１０は、自動搬送部１１、プラテンガラス等からなるガラス板１２、液晶表示部１３および読み取り部１９を含み、さらに読み取り部１９は、ミラー１４，１５、光源１８、結像光学系１６およびラインＣＣＤ１７等を含む。ここで、原稿から画像情報を読み取る際に、原稿は、読み取り面がガラス板１２に対向するように載置される。
【００４３】
この原稿は、図２の左右方向に当たる副走査方向に移動可能な光源１８により照らされ、この反射光は、複数のミラー１４、１５を介して、結像光学系１６に入力し、その後光センサをなすラインＣＣＤ１７上に結像する。ここで、光源１８には、キセノンランプ等が用いられる。その後、ラインＣＣＤ１７上に結像された画像情報は、電気信号に変換される。また、自動搬送部１１の上部に載置される場合には、自動搬送部１１により自動的に原稿が取り込まれ、画像情報の読み取りが行われる。ここで、自動搬送部１１には、図示しない開閉センサが設けられており、自動搬送部１１の開閉を検出する。
【００４４】
画像形成部４０は、画像書込部２０、感光体ドラム４１、現像器４３、定着部３８等からなる。画像書込部２０は、半導体レーザーを有し、読み取り部１９で読み取られた画像情報に基づいて、感光体ドラム４１上にこの画像情報の潜像を形成する。この潜像は、現像器４３により可視化された後、図示しない中間転写体に転写され、その後、給紙部５０から給紙された原稿に画像形成が行われる。この原稿は、定着部３８で温度、圧力が加えられ、画像情報の定着を行った後に排紙部６０から排紙される。
【００４５】
図１に、ガラス板１２および液晶表示部１３部分を中心とする分解図を示す。液晶表示部１３は、液晶性ポリマーからなるＬＣ（位相差）フィルムあるいはＮＨ（視野角改良）フィルムにより構成され、液晶表示画面がガラス板１２と対向する様に、密着して配置される。なお、図１では、液晶表示部１３の光源１８側に、図２に示されないもう１枚のガラス板２２を配置し、液晶表示部１３をサンドイッチ状に挟み込んだ構造が示されている。ここで、ガラス板２２を取り省き、ガラス板１２単体とすることもできる。
【００４６】
ガラス板１２，２２に挟まれた液晶表示部１３は、光源１８を用いてガラス板１２上の原稿を読み取る際に、読み取り部分は透明状態とされる。また、後述するように、ガラス板１２上に原稿を載置する際には、液晶の表示画面上に、読み取り情報あるいは印刷情報が表示される。
【００４７】
図３は、画像形成装置１００の電気的な全体構成を示すブロック図である。画像形成装置１００は、画像読取装置１０、画像処理装置９０、画像形成部４０、給紙部５０、排紙部６０、制御部７０および操作部８０等を含む。ここで、画像読取装置１０、画像形成部４０、給紙部５０および排紙部６０は、図２に示したものと同様なので詳しい説明を省略する。
【００４８】
画像処理装置９０は、画像読取装置１０で読み取られた画像情報を取得し、画像情報に応じて、例えば文字情報あるいは写真情報等に応じて、画像処理が行われる。また、読み取り装置から入力されるＲＧＢ表示から、画像形成部４０で用いられるＣＭＹＫ表示への変換が行われ、画像形成部４０に出力される。
【００４９】
画像形成部４０は、給紙部５０から給紙された原稿に、画像処理装置９０から取得した画像情報を画像形成し、排紙部６０に排紙する。ここで、制御部７０は、これら一連の動作を制御する。また、制御部７０は、表示手段７１を有する。表示手段７１は、液晶表示部１３を制御し、ガラス板１２上に、後述する原稿の読み取り情報および記録媒体の印刷情報を表示する。
【００５０】
なお、自動搬送部１１に付属される開閉センサは、その検出信号を、制御部７０の表示手段７１に送信する。ここで、表示手段７１は切換手段を含み、この切換手段は、開閉センサの検出信号に基づいて、液晶表示部１３の表示画面を切り替える。
【００５１】
また、操作部８０は、ＬＣＤ（Ｌｉｑｕｉｄ  Ｃｒｙｓｔａｌ  Ｄｉｓｐｌａｙ）等からなる操作パネルをなし、タッチパネルあるいはキーボードから読み取り情報および印刷情報の設定入力が行われる。ここで、設定入力は、原稿サイズ、記録媒体サイズ、拡大縮小率および縦横等の情報を含み、これら情報に基づいて、制御部７０は、液晶表示部１３に表示される読み取り情報および印刷情報を決定する。ここで、読み取り情報は、原稿を読み取る際の読み取り位置情報およびこれに関連する文字情報を含み、印刷情報は、記録媒体に印刷する際の印刷位置情報およびこれに関連する文字情報を含む。
【００５２】
つづいて、本実施の形態にかかる画像読取装置１０を用いた画像形成装置１００の動作について図４を用いて説明する。図４は、画像形成装置１００の動作を示すフローチャートである。まず、オペレータは、操作部８０から、液晶表示部１３によるガラス板１２上の、プラテン表示の選択を行う（ステップＳ４０１）。ここで、操作部８０のＬＣＤ等に表示される選択画面の例を図５に示す。図５は、ＬＣＤ等に表示される選択画面の一例である。この選択画面では、読み取りを行う原稿範囲、印刷を行う記録媒体範囲および突き当て位置の表示を行うかどうかを、実行するあるいは実行しないの選択手段により選択する。
【００５３】
その後、オペレータは、操作部８０から、原稿および記録媒体の入出力情報を設定する（ステップＳ４０２）。この設定では、原稿サイズ、記録媒体サイズ、拡大縮小率さらには縦横等の情報が設定される。なお、初期設定値のままとされる場合には、この限りではない。
【００５４】
その後、制御部７０は、ステップＳ４０２で設定された設定入力に基づいて、ガラス板１２上に読み取り情報および印刷情報を表示するプラテン表示を行う（ステップＳ４０３）。ここで、ガラス板１２上に表示される読み取り情報および印刷情報の例を図６および７に示す。
【００５５】
図６は、液晶表示部１３によりガラス板１２上に表示される表示画面の例を、原稿が載置される側、すなわちオペレータにより視認される側から見たものである。この画面左上部には、原稿の突き当て位置情報６１が図示されている。突き当て位置情報６１は、原稿をガラス板１２上に載置する際の基準位置となるもので、矩形状の原稿の角部を突き当てる位置が示される。ここで、突き当て位置情報６１は、突き当て位置を示す指示記号である矢印およびこの矢印の意味を現す文字画像からなる。
【００５６】
また、画面中央部分には、読み込み原稿サイズ情報６２が図示されている。読み込み原稿サイズ情報６２は、突き当て位置に原稿を突き当てた際に、読み取り領域がカバーするガラス板１２上の領域を輪郭線を持って図示するものである。また、読み込み原稿サイズ情報６２は、この輪郭線の意味を現す文字画像も含んでいる。
【００５７】
また、画面右下部には、記録媒体サイズ情報６３が図示されている。記録媒体サイズ情報６３は、読み取り領域で読み込まれた画像情報が出力される、記録媒体のガラス板１２上の領域を輪郭線を持って図示するものである。また、記録媒体サイズ情報６３は、この輪郭線の意味を表す文字画像も含んでいる。そして、これらの突き当て位置情報６１、読み込み原稿サイズ情報６２および記録媒体サイズ情報６３により、オペレータは、間違いのない正確な原稿の載置を行う。
【００５８】
図７は、図６と同様に液晶表示部１３によりガラス板１２上に表示される表示画面の例を、原稿が載置される側、すなわちオペレータにより視認される側から見たものである。この画面では、図６に示した読み込み原稿サイズの領域が無色透明状態、その他の領域が特定のパターン画像、例えば図７の例では暗色にされた状態とされる領域表示パターンにより各領域を区別する。これにより、オペレータは、無色透明状態の部分に原稿を載置することにより、間違えのない正確な原稿の載置を行う。
【００５９】
その後、オペレータは、原稿をガラス板１２上の表示画面で指定される位置に載置する（ステップＳ４０４）。そして、制御部７０は、オペレータによるスタートボタンの押印により記録媒体への複写を行い（ステップＳ４０５）、本処理を終了する。
【００６０】
上述してきたように、本実施の形態では、原稿が載置されるガラス板１２に対向して液晶表示部１３を設け、この液晶表示部１３に原稿の読み取り情報および印刷情報、すなわち原稿の突き当て位置情報６１、読み込み原稿サイズ情報６２および記録媒体サイズ情報６３等を表示することとしているので、原稿の読み取り位置あるいは出力される記録媒体サイズと位置等をオペレータが間違いなく認識させ、拡大縮小及び縦横の変換等の複雑な入出力を行う場合にも、オペレータがガラス板１２上に間違いなく原稿を載置し、誤出力を伴わない複写を行い、高い操作性を維持することができる。
【００６１】
また、本実施の形態では、図７に示す領域表示パターンを、画像の読み込み領域を示す場合に用いたが、自動搬送部１１あるいはプラテンカバーに付属される開閉センサと連動させ、汚れ等により読み取りを行いたくない領域のマスクとして用いることもできる。この場合には、表示手段７１の切換手段により、開閉センサが開状態の際に、図６に示す様な読み取り情報および印刷情報を表示し、開閉センサが開状態の際に、図７示す様な領域表示パターンを表示する。なお、領域表示パターンは、読み取り原稿サイズを示すものではなく、読み取り画像サイズあるいは領域を示すものとなる。
【００６２】
なお、この場合、領域表示パターンとして暗色を用いる場合は、この領域を黒色のマスクとして機能させ、領域表示パターンとして網掛け等を用いる場合は、この領域を画像処理装置９０により認識し、画像処理により除去させるようにすることもできる。
【００６３】
また、本実施の形態では、液晶表示部１３に原稿の突き当て位置情報６１、読み込み原稿サイズ情報６２および記録媒体サイズ情報６３を表示したが、原稿あるいは記録媒体の向きを、例えば矢印等で示すこともできる。これにより、原稿あるいは記録媒体の上下方向等を明確に示すことができる。
【図面の簡単な説明】
【００６４】
【図１】読み取り部のプラテンガラスおよび液晶表示部の構成を示す構成図である。
【図２】画像形成装置の機械的な構成を示すブロック図である。
【図３】画像形成装置の電気的な全体構成を示すブロック図である。
【図４】実施の形態の画像形成装置の動作を示すフローチャートである。
【図５】実施の形態の操作部のプラテン表示設定画面を示す説明図である。
【図６】実施の形態の液晶表示部１３に表示される表示画面の一例を示す説明図である（その１）。
【図７】実施の形態の液晶表示部１３に表示される表示画面の一例を示す説明図である（その２）。
【符号の説明】
【００６５】
１０  画像読取装置
１１  自動搬送部
１２，２２  ガラス板
１３  液晶表示部
１４，１５  ミラー
１６  結像光学系
１８  光源
１９  読み取り部
２０  画像書込部
３８  定着部
４０  画像形成部
４１  感光体ドラム
４３  現像器
５０  給紙部
６０  排紙部
６１  突き当て位置情報
６２  読み込み原稿サイズ情報
６３  記録媒体サイズ情報
７０  制御部
７１  表示手段
８０  操作部
９０  画像処理装置
１００  画像形成装置
【図１】
2006030332.tif 000003
【図２】
2006030332.tif 000004
【図３】
2006030332.tif 000005
【図４】
2006030332.tif 000006
【図５】
2006030332.tif 000007
【図６】
2006030332.tif 000008
【図７】
2006030332.tif 000009